(57)【特許請求の範囲】
【請求項１】
扉を係止するラッチと扉に設けた把手とを選択的に断接するクラッチを具備する施錠部と、当該施錠部をロック位置又はロック解除位置に移動して前記クラッチの断接を切り替えることで施錠状態を切り替える施解錠切替部とを備え、外周面の一部を扉の表面より露出させつつ並べて配置され照合番号入力部を構成するダイヤルと、各ダイヤルと一体回転する照合番号設定板とを同軸上に配置し、検出板からなる照合検出部を前記照合番号設定板の外周に押しつけ照合状態を検出して突没するように配置し、前記照合検出部の動作と連動して扉の厚み方向に突没する係合部が前記施解錠切替部と選択的に係合し、前記施解錠切替部が前記施錠部の移動を通じて前記クラッチを断接するように構成したことを特徴とする錠装置。
【請求項２】
施解錠切替部の一端部側を施錠部に接続し、前記係合部を施解錠切替部の他端部側に配置したものである請求項１記載の錠装置。
【請求項３】
施解錠切替部が窓を有し、この窓に、照合検出部の突出動作を通じて係合部を選択的に係り合わせるようにしている請求項１又は２記載の錠装置。
【請求項４】
施解錠切替部が薄板状のものであり、その肉厚内で係合部を選択的に係り合わせるようにしている請求項１〜３何れかに記載の錠装置。
【発明の詳細な説明】
【技術分野】
【０００１】
本発明は、ダイヤル錠を作動させる手数が少なく、セキュリティ機能を簡単な構成で付加できて、筐体の扉による閉止状態をロックする上で好適に利用できる錠装置に関するものである。
【背景技術】
【０００２】
この種の錠装置は、ラッチ等の係留部を備えた扉に付随して設けられ、ダイヤル錠等を揃えることで係留部を操作し得ないように拘束し、扉を開ける際には係留部の拘束を解除するように構成されるのが一般的である。
【０００３】
そのための具体的な構成としては、例えば特許文献１の図２３等に見られるような鎌錠の動きをダイヤル等の照合状態の有無に応じて拘束又はその拘束を解除するように構成し、ダイヤル操作により拘束を解いた上で摘みを操作して鎌錠を被係留位置に移動させ、或いは鎌錠を係留位置に移動させた後に、ダイヤル操作により係留部を拘束するようにしている。
【特許文献１】特公平６−６０５４４号公報
【発明の開示】
【発明が解決しようとする課題】
【０００４】
ところが、このようなものであると、施錠を解除する際にはダイヤル入力等の操作をした上で摘みを操作して鎌錠を被係留位置に移動させる必要があり、逆に施錠に引き込むためには摘みを操作して鎌錠を係留位置に移動させた上でダイヤル操作を加える必要があり、何れの場合にも施錠から開錠までの手順が煩雑であるという問題がある。特に、照合番号の入力と鎌錠の動きとは全く別個独立のものであるため、中途半端な操作状況に陥り易いという問題もある。さらに、鎌錠の動きを拘束するためにそれなりの大きさ及び作動量の拘束手段を必要とするものである。
【０００５】
本発明は、このような課題に着目してなされたものであって、ダイヤル錠等を作動させる手数が少なく、セキュリティ機能を簡単な構成で確実に付加できるようにした優れた錠装置を提供することを目的としている。
【課題を解決するための手段】
【０００６】
本発明は、かかる目的を達成するために、次のような手段を講じたものである。
【０００７】
先ず、本発明の錠装置は、扉を係止するラッチと扉に設けた把手とを選択的に断接するクラッチを具備する施錠部と、当該施錠部をロック位置又はロック解除位置に移動して前記クラッチの断接を切り替えることで施錠状態を切り替える施解錠切替部とを備え、外周面の一部を扉の表面より露出させつつ並べて配置され照合番号入力部を構成するダイヤルと、各ダイヤルと一体回転する照合番号設定板とを同軸上に配置し、検出板からなる照合検出部を前記照合番号設定板の外周に押しつけ照合状態を検出して突没するように配置し、前記照合検出部の動作と連動して扉の厚み方向に突没する係合部が前記施解錠切替部と選択的に係合し、前記施解錠切替部が前記施錠部の移動を通じて前記クラッチを断接するように構成したことを特徴とする。
【０００８】
ダイヤルによって構成される照合番号入力部の入力を照合検出部が自動的に検出して突没動作を行い、これが直接、当該施解錠切替部の施錠部に対するロック位置への移動又はロック解除位置への移動につながるので、少なくとも操作をワンアクション減らすことができる。しかも、照合番号の入力から施解錠切替部の作動及び把手に入力される操作力を選択的にラッチに伝えるクラッチの作動までの間が連携をとって一連に行われるので、中途半端な作動状態になる恐れが少なく、スムーズな作動を得ることが可能となる。また、把手に入力される操作力を選択的に伝えるクラッチが設けられているので、クラッチが切れている時は把手を操作してもその操作力が扉の開成を許容するラッチには伝わらない。
【０００９】
さらに、施錠部と照合検出部との間が適切に連絡され、係合部が係合した際に施解錠切替部を所定の切替位置に保持し、係合部の係合が解除された際に施解錠切替部の他の切替位置への移動を適切に許容することができる。
【００１０】
また、施解錠切替部の一端部側を施錠部に接続し、他端部側に前記係合部を配置することで、簡単な構成とすることができる。
【００１１】
さらに、施解錠切替部が窓を有し、この窓に、照合検出部の突出動作を通じて係合部を選択的に係り合わせるようにしている場合には、係合部の突出時に施解錠切替部の動きを窓の周縁部で確実に拘束することができるので、施解錠切替部を所定の切替位置に確実に保持した場合に有用となる。
【００１２】
また、施解錠切替部が薄板状のものであり、その肉厚内で係合部の係脱が行われるようにしている場合には、係合部の僅かな突没量で施解錠切替部の切替動作に直接係ることができ、また厚み方向と直交する方向に係り合うため、部材の剛性を利用した確実な係合状態を得ることができる。しかも、施解錠切替部が薄肉であるため、ケーシングの壁面に沿って配置するなど、その取付状態の安定性やスペースファクタも有効に向上することとなる。
【発明の効果】
【００１３】
本発明は、以上説明した構成であるから、ダイヤル錠を作動させる手数が少なく、セキュリティ機能を簡単な構成で有効に付加できるようにした優れた錠装置を提供することができる。
【発明を実施するための最良の形態】
【００１４】
以下、本発明の一実施形態を、図面を参照して説明する。
【００１５】
この錠装置は、図1に示すようなセキュリティボックスや収納具等の家具の筐体１１に付帯する扉２を閉止位置にロックするために用いられるもので、照合番号入力部として図２及び図３に示すダイヤルユニット３と図２及び図４に示す施錠部４とを施解錠切替部５を介して関連づけ、ダイヤルユニット３を構成する各ダイヤル３ａ〜３ｄが照合状態となることにより自動的に作動してロック状態にある施錠部４を図４→図５のように扉２の開成を許容するロック解除状態に移行させるとともに、扉を開け始めてから閉めるまでの過程で扉２に生じる状態変化から取り出した作動力を利用して、ダイヤル図３→図６のようにリセットし、そのまま扉を閉止することによって、再び図４に示したように扉２の開成を禁止するロック状態に移行させるようにしている。
【００１６】
具体的に説明すると、ダイヤルユニット３は、図１〜図３、図６〜図８に示すように、共通のシャフト３１回りに相互に拘束することなく回転可能に設けられ、外周の一部を扉２の表面より露出させつつ並べて配置された４個のダイヤル３ａ〜３ｄと、各々のダイヤルに３ａ〜３ｄ一体回転し得るように同軸上に設けたリセット歯車３２ａ〜３２ｄ及び照合番号設定板３３ａ〜３３ｄと、前記シャフト３１に平行なシャフト３４ｓに同期回転し得るように取り付けられそれらのリセット歯車３２ａ〜３２ｄにそれぞれ噛合可能な位置に駆動歯車３４ａ〜３４ｄを配置した駆動歯車群３４と、昇降動作によりこの駆動歯車群３４を正逆回転させる昇降杆３０とを備える。
【００１７】
照合番号設定板３３ａ〜３３ｄは、各々のダイヤル３ａ〜３ｄの照合番号が正面に位置したとき、そこから所定角度変位した部位に図７及び図９（ａ）に示すような凹所３３ａｘ〜３３ｄｘを有し、この凹所３３ａｘ〜３３ｄｘが整列したときのみ後述する照合検出部３５を構成する検出板３５ａ〜３５ｄに突設した検出端３５ａｘ〜３５ｄｘを凹所３３ａｘ〜３３ｄｘに係合させるようにしている。図８及び図９（ｂ）に示すリセット歯車３２ａ〜３２ｄには、リセット位置（図示例ではゼロが揃うゼロリセット位置）で整列する歯欠損部３２ａｘ〜３２ｄｘが設けてある。一方、駆動歯車群３４は、それぞれ扇形の駆動歯車３４ａ〜３４ｄの外周に歯を形成したもので、ダイヤル操作時には図３及び図８に示すようにリセット歯車３２ａ〜３２ｄとの噛み合いを解除された待機位置にあり、そこからシャフト３４ｓ回りに一斉に回転することによって、リセット歯車３２ａ〜３２ｄを回転させ、図１０に示すように各々のリセット歯車３２ａ〜３２ｄの欠損部３２ａｘ〜３２ｄｘまで来たとき、つまり図６及び図９（ｂ）に示す例えばゼロリセット位置まで回転したときに、リセット歯車３２ａ〜３２ｄとの噛合が解除され、その送り動作を止めるものである。したがって、一旦この状態になった後は、再び駆動歯車３４ａ〜３４ｄが回転してもリセット歯車３２ａ〜３２ｄと干渉することがなく、駆動歯車３４ａ〜３４ｄからなる駆動歯車群３４は再び図３及び図８に示す待機位置に戻ることができる。そして、この駆動歯車群３４は前記昇降杆３０を取り付けた昇降ブラケット３００を介して図２、図４及び図５に示す作動リンク３７に接続され、この作動リンク３７に扉２の開閉動作を利用した作動力を入力することによって、駆動歯車群３４を介してリセット歯車３２ａ〜３２ｄのゼロリセット動作等を引き起こすようにしている。
【００１８】
一方、図７に示す照合検出部３５は、前記シャフト３１に平行なシャフト３５ｓ回りに同期回転し得るように取り付けて各々対応する照合番号設定板３３ａ〜３３ｄの外周に摺接ないし近接する位置に検出端３５ａｘ〜３５ｄｘを突出させた４枚の検出板３５ａ〜３５ｄからなるもので、その検出端３５ａｘ〜３５ｄｘが凹所３３ａｘ〜３３ｄｘに嵌まる方向に検出板３５ａ〜３５ｄはバネ３５ｐで押し付けられている。そして、４つの照合番号設定板の凹所３３ａｘ〜３３ｄｘが合致したとき、すなわち番号が照合したときに始めて、凹所３３ａｘ〜３３ｄｘが揃い、それらの検出板３５ａ〜３５ｄは照合非検出位置からシャフト回りに回転して検出端３５ａｘ〜３５ｄｘが凹所３３ａｘ〜３３ｄｘに嵌まる照合検出位置にまで回転することができる。
【００１９】
他方、この照合検出部３５の近傍には、図４、図５及び図７に示すように、シャフト３１，３５ｓと直交する方向に進退してケーシングＣの裏面から突没する係合部たるブロック体状のデッドボルト３６が配置してあり、このデッドボルト３６は他に規制力が働かなければバネ３６ａにより図１１に示すようにケーシングＣの裏面側に突出する方向に押し付けられて移動するように構成してあり、また、上記検出板３５ａ〜３５ｄが照合状態を検出して図１１→図７のように回転したときに、これに引っ張られて没入位置に移動するように関連づけられている。このデッドボルト３６はピン状のものであっても構わない。
【００２０】
施解錠切替部５は、図４及び図８等に示すように、ケーシングＣの裏面に密着させた状態で軸５１回り回転可能に配置した板状のもので、一端部５２側を施錠部４に接続され、他端部５３側に設けた窓５４を照合検出部３５の作動を通じて扉２の厚み方向に突没する係合部であるデッドボルト３６を選択的に係合させる位置に位置づけている。この施解錠切替部５は、図４に示すようにその窓５４をデッドボルト３６と合致する位置に位置づけたときに一端部５２が施錠部４をロック位置に保持し、図５に示すようにデッドボルト３６が没入してその窓５４がデッドボルト３６から外れる位置まで施解錠切替部５が軸５１回りに回転移動したときに一端部５２が施錠部４をロック解除位置に移動させる。この施解錠切替部５は、図示しないバネによってロック解除位置に向かって押し付けられており、照合検出部３５が番号の照合を検出してデッドボルト３６が没入した途端に、ロック位置からロック解除位置に移行する。
【００２１】
施錠部４は、この実施形態の場合、図４及び図５の間で上下動することによって扉２の中央に設けた把手２１の軸２１ａと扉２の上下の縁部に設けたラッチ２２の軸２２ａとを選択的に断接するクラッチ４１を有したもので、前述した施解錠切替部５はこのクラッチ４１の上下動を引き起こすように構成され、クラッチ４１が上昇すると軸２１ａ、２２ａ同士を接続して把手２１をロック解除状態にし、クラッチ４１が降下すると軸２１ａ、２２ａ同士の接続を解除して把手２１をロック状態にするものである。
【００２２】
したがって、照合検出部３５が照合またはリセットされたことを検出してデッドボルト３６を突没動作させ、その突没動作が施解錠切替部５のロック位置又はロック解除位置への移動による施錠部４の切替動作に直接つながっている
【００２３】
さらに、この実施形態は、上述したように扉２を閉めるまでの過程で扉２に生じる状態変化から取り出した作動力を利用してダイヤル３ａ〜３ｄをリセットし、また次に扉２を閉止した際に再度の開成を禁止するロック状態に移行させるために、扉２に生じる状態変化である開閉動作を利用して、扉２を取り付けた筐体１から施錠部４を再びロック状態に向かわせる作動力となる引っ張り力を取り出すようにしている。
【００２４】
具体的には、図５に示すように筐体２の側板２２に紐６の一端部６１を接続し、他端部６２をバネ６３を介して前記作動リンク３７に接続したもので、この実施形態の扉２が持出し兆番に支持されていて扉２を開けるにしたがって紐２の他端部６２が作動リンク３７から遠ざかる方向に取り残されることを利用して、紐２の他端部６２を作動リンク３７に接続することで当該作動リンク３７を引っ張り、これにより作動リンク３７を引っ張り力により軸３７ａ回りに回転させて、昇降ブラケット３００を介して前記昇降杆３０を引き上げるようにしている。また、前記ケーシングＣの裏面には図５に示すカム３８が軸３８ａ回りに取り付けてあり、紐６によりこのカム３８を同時に回転させて、カム３８の回転端３８ｂで施解錠切替部５を図４に示す方向に押し戻して、ロック位置に復帰させるようにしている。
【００２５】
なお、図４及び図５において符号３９で示すものは、紐６の緊張が無くなったときに作動リンク３７を介して昇降杆３０を降下させるためのバネである。また、バネ６３は前記バネ３９よりも弾性係数が大きく設定してあり、紐６が緩んでいるときは機能しないが、扉２の開成状態が大きくなり施解錠切替部５がデッドボルト３６にロックされて更に扉２が開成しようとする際に紐６の緊張を逃すためのものである。さらに、図において符号７で示すものは、昇降ブラケット３００に取り付けた樹脂製のダイヤル操作補助部材であり、このダイヤル操作補助部材７の先端には弾性変形可能な押さえ片７１ａ〜７１ｄが形成してある。すなわち、前述したダイヤル３ａ〜３ｄは、数字の表記された部位が凸となりその間が凹となるような凹凸形状が付してあり、昇降ブラケット３００の降下時に押さえ片７１ａ〜７１ｄが各ダイヤル３ａ〜３ｄの凹となる部位に弾性的に押し付けられた状態で、ダイヤル操作をクリック感覚をもって行い得るようにしている。
【００２６】
以下、本実施形態の作動について説明する。
【００２７】
扉２の閉止時において、ダイヤル３ａ〜３ｄが非照合状態（例えばゼロリセット状態）にあり施錠部４が図４に示すロック状態にあるときは、照合検出部３５の検出板３５ａ〜３５ｄは図１１に示す照合非検出位置にあり、施解錠切替部５は図１２に示すロック位置にあって、係合部であるデッドボルト５４は図４、図１１及び図１２に示すように突出して施解錠切替部５の窓に嵌まり合って施解錠切替部５の動きを規制している。施解錠切替部５の一端部５２で施錠部４を構成するクラッチ４１を切っているため、把手２１を操作しても空転するだけで、把手２１からラッチ２２に操作力が伝達されることはない。
【００２８】
この状態からダイヤル３ａ〜３ｄを操作すると、照合番号が合致した段階でダイヤル３ａ〜３ｄに付帯させた照合番号設定板３３ａ〜３３ｄの凹所３３ａｘ〜３３ｄｘが図９（ａ）に示すように整列し、照合検出板３５ａ〜３５ｄが図１１の照合非検出位置から図７の照合検出位置にまで回転してその検出端３５ａｘ〜３５ｄｘが凹所３３ａｘ〜３３ｄｘに嵌まる結果、係合部であるデッドボルト３６を図１１→図７のように没入させて施解錠切替部５の窓５４から退避させる。これにより、施解錠切替部５はバネに押されて図５及び図１３に示すように一端部５２でクラッチ４１を接続するロック解除位置に移行し、把手２１に入力する操作力をラッチ２２に伝えて扉２の開成を許容する。
【００２９】
その後、扉２が開いていくと、紐６によって作動リンク３７が引っ張られ、図３、図８→図６等のように待機位置にある駆動歯車群３４を回転させる。各ダイヤル３ａ〜３ｄの側部にはリセット歯車３２ａ〜３２ｄが一体に設けてあり、作動リンク３７により昇降杆３０が上動されて各駆動歯車３４ａ〜３４ｄが回転すると、この駆動歯車３４ａ〜３４ｄがダイヤルに付帯するリセット歯車３２ａ〜３２ｄに噛み合ってダイヤル３ａ〜３ｄを回転させる。各リセット歯車３２ａ〜３２ｄには図７及び図９に示した歯欠損部３２ａｘ〜３２ｄｘが設けてあり、ゼロリセット位置で歯欠損部が揃って駆動歯車３４ａ〜３４ｄとの噛み合いが解除され、扉２が全開するまでの間に全てのダイヤル３ａ〜３ｄがゼロリセットされる。一方、最初のダイヤル３ａ〜３ｄが動き出すと、凹所３３ａｘ〜３３ｄｘから照合検出板３５ａ〜３５ｄの検出端３５ａｘ〜３５ｄｘを追い出すので、照合検出板３５ａ〜３５ｄは図７→図１１に示すように照合非検出位置に移動するが、係合部であるデッドボルト３６は照合検出板３５ａ〜３５ｄからの規制は解かれるものの、施解錠切替部５の窓５４がずれているため図１３に示すように突出動作を禁止された状態となり、これに追従せずにバネ３６ａで押された状態で没入位置を保つ。他方、扉２を開けていく動作に伴って、図１３→図１４に示すようにカム３８が回転して、施解錠切替部５を元に戻す方向に押し付けるので、施解錠切替部５が図１２に示すロック位置にきたときにその窓５４とデッドボルト３６とが対向する。このとき、それまで施解錠切替部５に突出を禁止されていたデッドボルト３６はその規制を解除されるので、突出して窓５４に係り合い、施解錠切替部５は再び一端部５２でクラッチ４１を切って施錠部４をロック状態に保持する。
【００３０】
扉２を閉めていくと、紐６の緊張がなくなり、作動リンク３７に取り付けたバネ３９に押し付けられて昇降杆３０が降りてくる。これに伴い、駆動歯車３４ａ〜３４ｄは図６及び図１０に示すリセット位置から図３及び図７に示す待機位置に戻る方向に回転するが、ダイヤル３ａ〜３ｄに付帯するリセット歯車３２ａ〜３２ｄとは縁が切れているため、支障なく回転することができる。そして、扉２を閉める段階では、ラッチ４１はその一部に設けた図４に示す係合爪２２ｘを筐体１の対応位置に設けた図示しない係り合い部に弾性的に係り合わせて、扉２により筐体１の開口を閉止する。
【００３１】
これにより、系は図１２等に示した作動説明の最初の段階に戻り、扉２の閉止時において、ダイヤル３ａ〜３ｄが非照合状態（ゼロリセット状態）となり施錠部４が図４に示すロック状態に保持される。照合検出部３５の検出板３５ａ〜３５ｄは図１１に示す照合非検出位置にあり、施解錠切替部５は図１２に示すロック位置にあって、係合部であるデッドボルト５４は図４、図１１及び図１２に示すように突出して施解錠切替部５の窓に嵌まり合って施解錠切替部５の動きを規制する。施解錠切替部５の一端部５２で施錠部４を構成するクラッチ４１を切るため、把手２１を操作しても空転するだけで、把手２１からラッチ２２に操作力が伝達されることはない。
【００３２】
以上のように、本実施形態の錠装置は、照合番号入力部であるダイヤル３ａ〜３ｄに照合検出部３５を関連づけて設け、この照合検出部３５が照合状態を検出して係合部であるデッドボルト３６を介して突没動作し、その突没動作が、施錠部４に対しロック位置又はロック解除位置に移動してその施錠状態を切り替える施解錠切替部５の当該切替動作に直接係わっているように構成して、ダイヤル３ａ〜３ｄの入力を照合検出部３５が自動的に検出して突没動作を行い、これが直接、施解錠切替部５の施錠部４に対するロック位置への移動又はロック解除位置への移動につながるようにしたものである。
【００３３】
このため、ダイヤル操作をした上で摘みを操作して鎌錠を被係留位置に移動させたり、摘みを操作して鎌錠を係留位置に移動させた上でダイヤル操作を加える従来のものに比して、少なくとも操作をワンアクション減らすことができる。しかも、照合番号の入力の検出から施解錠切替部５の作動までの間が連携をとって一連に行われるので、中途半端な作動状態になる恐れが少なく、スムーズな作動を確保することができる。
【００３４】
また、施解錠切替部５が、一端部５２側を施錠部４に接続され、他端部５３側に照合検出部３５の突没動作を通じて係合部であるデッドボルト３６を選択的に係合させるようにしているので、簡単な構成ながら施錠部４と照合検出部３５との間を適切に連絡して、デッドボルト３６が係合した際に施解錠切替部５を所定の切替位置に保持し、デッドボルト３６の係合が解除された際に施解錠切替部５の他の切替位置への移動を適切に許容することができる。
【００３５】
さらに、施解錠切替部５が窓５４を有し、この窓５４に、照合検出部３５の突出動作を通じてデッドボルト３６を選択的に係り合わせるようにしているので、デッドボルト３６の突出時に施解錠切替部５の動きを窓５４の周縁部によって確実に拘束することができ、施解錠切替部５を所定の切替位置に確実に保持することができる。
【００３６】
しかも、その施解錠切替部５が薄板状のものであり、その肉厚内でデッドボルト３６の係脱が行われるようにしているので、デッドボルト３６の僅かな突没量で施解錠切替部５の切替動作に直接係わることができ、また厚み方向と直交する方向に係り合うため、部材の剛性を利用した確実な係合状態を得ることができる。しかも、施解錠切替部５が薄肉であるため、ケーシングＣの壁面に沿って配置することができて、その取付状態の安定性やスペースファクタの向上にも有効に資することができる。
【００３７】
とりわけ、この実施形態の照合番号入力部がダイヤル３ａ〜３ｄであって、従来のダイヤル錠においては、特にダイヤル操作と鎌錠の操作等とが全く別個独立であったことに鑑みれば、このような一見異質な動きをするダイヤル３ａ〜３ｄと施錠部４との間を本発明により関連づけたことによる効果は極めて大きいものである。
【００３８】
なお、各部の具体的な構成は、上述した実施形態のみに限定されるものではなく、
本発明の趣旨を逸脱しない範囲で種々変形が可能である。
【００３９】
例えば、照合番号入力部は、ダイヤル錠以外にもプッシュ式のもの等であっても、基本的に上記実施形態と同様の効果が奏される。
【００４０】
また、上記実施形態におけるリセットは、いわゆるゼロリセットであったが、ゼロ以外の特定番号にリセットする態様や、照合状態をランダムに解除するリセットの態様等も実施可能である。
【００４１】
さらに、上記実施形態では扉に生じる状態変化から作動力を取り出すために扉と筐体との間に設けた紐を利用したが、リンクやワイヤ等を用いても基本的に上記と同様の作動を得ることができる。
【図面の簡単な説明】
【００４２】
【図１】本発明の一実施形態が適用される筐体及び扉を備えた家具を示す斜視図。
【図２】同実施形態における錠装置の概要を示す正面図。
【図３】同実施形態のダイヤルユニットを示す斜め前方斜視図。
【図４】同実施形態の錠装置の概要を示す背面斜視図。
【図５】図４に対応した作用説明図。
【図６】図３に対応した作用説明図。
【図７】図２におけるＡ−Ａ線拡大断面図。
【図８】図２におけるＢ−Ｂ線拡大断面図。
【図９】同実施形態におけるゼロリセットの機能を説明する図。
【図１０】同実施形態におけるゼロリセットの機能を説明する図。
【図１１】同実施形態におけるデッドボルトの作動を説明する図。
【図１２】同実施形態における施解錠切替部の作用説明図。
【図１３】同実施形態における施解錠切替部の作用説明図。
【図１４】同実施形態における施解錠切替部の作用説明図。
【符号の説明】
【００４３】
３ａ、３ｂ、３ｃ、３ｄ…照合番号入力部（ダイヤル）
５…施解錠切替部
３５…照合検出部
５２…一端部
５３…他端部
５４…窓
【図１】
0005472873.tif 000002
【図２】
0005472873.tif 000003
【図３】
0005472873.tif 000004
【図４】
0005472873.tif 000005
【図５】
0005472873.tif 000006
【図６】
0005472873.tif 000007
【図７】
0005472873.tif 000008
【図８】
0005472873.tif 000009
【図９】
0005472873.tif 000010
【図１０】
0005472873.tif 000011
【図１１】
0005472873.tif 000012
【図１２】
0005472873.tif 000013
【図１３】
0005472873.tif 000014
【図１４】
0005472873.tif 000015